(57)【要約】  本発明は、第１のコネクタ部分（１０）と第２のコネクタ部分（２０）とから成るコネクタに関する。これらのコネクタ部分（１０，２０）は相互に接触接続されるように設けられている。コネクタ部分（２０）の差込み面は、コネクタ部分（１０）の第１の差込み面（１０．１）内に収容されている。第２のコネクタ部分（２０）と第１のコネクタ部分（１０）との接触接続によって、これらのコネクタ部分（１０，２０）内に収容されている電気的なコンタクト要素同士が接触接続する。第１のコネクタ部分（１０）の差込み面（１０．１）内に収容されているインサートによって、差込み面（１０．１）における、異物による、誤った電気的な接触接続が回避される。【特許請求の範囲】
【請求項１】
第１のコネクタ部分（１０）と、対応している第２のコネクタ部分（２０）と、前記第１および第２のコネクタ部分（１０，２０）内に収容されている、少なくとも２つの、対応しているコンタクト要素（１１，２１）と、から成るコネクタであって、
前記第１のコネクタ部分（１０）は、第１の成形部（１０．２）から形成されている第１の差込み面（１０．１）を有しており、
前記第１の成形部（１０．２）は、周囲を取り囲んでいる、第１のカラー（１０．３）から形成されており、前記第１のカラー（１０．３）は第１の空間（１０．４）を画定し、前記第１のカラー（１０．３）内には、前記第１のコンタクト要素（１１）が配置されており、
前記第２のコネクタ部分（２０）は、少なくとも１つの第２の成形部（２０．２）から形成されている第２の差込み面（２０．１）を有しており、前記少なくとも１つの第２の成形部（２０．２）内には、前記第２のコンタクト要素（２１）が配置されており、
前記少なくとも１つの第２の成形部（２０．２）の輪郭は前記第１のカラー（１０．３）の輪郭と一致しており、前記少なくとも１つの第２の成形部（２０．２）が形状結合によって前記第１のカラー（１０．３）内に収容可能であるコネクタにおいて、
前記少なくとも１つの第２の成形部（２０．２）は、第２のカラー（２０．３）として形成されている
ことを特徴とするコネクタ。
【請求項２】
前記少なくとも１つの第２の成形部（２０．２）を形成する前記第２のカラー（２０．３）は、第２の空間（２０．４）を画定する、請求項１記載のコネクタ。
【請求項３】
前記第１のコネクタ部分（１０）の前記第１の差込み面（１０．１）の前記第１の空間（１０．４）内にはめ込み可能であるインサート（３０）が設けられている、請求項２記載のコネクタ。
【請求項４】
前記インサート（３０）は、前記第１のコネクタ部分（１０）の前記第１の空間（１０．４）内に係止可能である、請求項３記載のコネクタ。
【請求項５】
前記インサート（３０）は、前記第１のコンタクト要素（１１）を通すために用いられる貫通孔（３０．１）を有している、請求項３または４記載のコネクタ。
【請求項６】
前記インサート（３０）は、差込み方向に配向された、少なくとも１つの第３の成形部（３０．２）を有している、請求項３から５までのいずれか１項記載のコネクタ。
【請求項７】
前記少なくとも１つの第３の成形部（３０．２）は、前記第２のカラー（２０．３）の輪郭と一致しており、前記少なくとも１つの第３の成形部（３０．２）は形状結合によって、前記第２の空間（２０．４）内に、前記第２のカラー（２０．３）内部に配置可能である、請求項６記載のコネクタ。
【請求項８】
前記第１のコンタクト要素（１１）の、差込み方向を指しているコンタクト先端は、絶縁材料から成る、請求項１から７までのいずれか１項記載のコネクタ。
【発明の詳細な説明】
【技術分野】
【０００１】
本発明は、独立請求項１の上位概念に記載されているコネクタに基づく。
【背景技術】
【０００２】
この種のコネクタは、電線同士またはケーブル同士を接続するために必要である。コネクタは、多くの場合、相互に接触接続および係止するように設けられている２つのコネクタ部分から成る。
【０００３】
これらのコネクタ部分は、多くの場合、絶縁性の支持体を有しており、この絶縁性の支持体はハウジングとしても用いられるか、または、付加的にハウジング内に収容されている。これら２つのコネクタ部分は対応するように形成されているので、これらは相互に嵌合可能である。
【０００４】
絶縁性の支持体内には、電気的なコンタクト要素が収容されており、これらの電気的なコンタクト要素も、相互の接触接続を可能にするために、対応するように形成されている。これらの電気的なコンタクト要素の背面に、相互に電気的に接触接続されるべき電線またはケーブルが接続される。
【０００５】
従来技術から、種々のコネクタが公知である。これらは実質的に、その寸法とコンタクト要素の数によって異なっている。
【０００６】
従来技術から公知のコネクタの欠点は、大電流用に設計された大きいコンタクト要素を有するコネクタでは、このコンタクト要素への接触に対する防護措置がもはや設けられていないということである。コンタクト要素が大きくなるほど、コンタクト要素間の間隙空間、及び、コンタクト要素とハウジングとの間の間隙空間も大きくなる。
【発明の概要】
【発明が解決しようとする課題】
【０００７】
本発明の課題は、特定用途向けに、接触に対する防護措置を設けることが可能であるようにコネクタを形成することである。すなわち、コネクタのコンタクト要素は、例えば人間の指による不所望な接触から、または、工具等の異物との接触から防護されている。
【課題を解決するための手段】
【０００８】
上述の課題は、独立請求項１の特徴部分に記載された構成によって解決される。
【０００９】
本発明の有利な構成は、従属請求項に記載されている。
【００１０】
本発明は、第１のコネクタ部分と第２のコネクタ部分とから成るコネクタに関する。これらのコネクタ部分は対応するように構成されている。すなわち、第１のコネクタ部分の第１の差込み面に、第２のコネクタ部分の第２の差込み面が収容可能であるように、第１のコネクタ部分が形成されている。
【００１１】
このために、第１のコネクタ部分は、第１のカラーを形成する第１の成形部を有している。この第１のカラーは、第１のコネクタ部分の第１の差込み面を形成する。周囲を取り囲んでいる、この第１のカラーは、第１の空間を画定するように、第１のコネクタ部分に設けられている。すなわち、第１のカラー内には、第１の空間が設けられている。第１の空間は、第２のコネクタ部分の第２の差込み面を収容するために用いられる。
【００１２】
第２のコネクタ部分には、第２のコネクタ部分の第２の差込み面を形成する少なくとも１つの第２の成形部が設けられている。少なくとも１つの第２の成形部の輪郭は、自身が、第１のコネクタ部分の第１のカラー内に収容されるように形成されている。第１の成形部と少なくとも１つの第２の成形部は、自身の内輪郭又は外輪郭に関して一致しており、少なくとも１つの第２の成形部が形状結合によって、第１のカラーを形成する第１の成形部内に差込み可能である。
【００１３】
本発明では、第２のコネクタ部分の第２の差込み面を形成する少なくとも１つの第２の成形部が、第２のカラーとして形成されている。第２のカラーは、第２の差込み面で、第２の空間を画定している。第２の成形部が複数個ある場合には、それらの設計に従って、第２の空間も複数個形成され得る。
【００１４】
本発明では、第１のコネクタ部分の第１の空間内にはめ込み可能なインサートが設けられている。有利には、このインサートは完全に、第１の差込み面内に、第１のカラー内部に収容される。
【００１５】
有利な実施形態では、インサートは、係止可能に第１の空間内に収容される。この場合には、インサートに接して、及び第１の空間内に、インサートを空間内に係止することを可能にする、対応している係止手段を設けることができる。係止手段の構成に応じて、第１の空間内でのインサートの繰り返しの係止および取り外しが可能になる。
【００１６】
インサートは、インサートを第１の空間内に係止することを可能にするために係止手段が設けられている支持体要素から形成されている。この支持体要素上には、本発明では、少なくとも１つの第３の成形部が設けられている。この少なくとも１つの第３の成形部は、差込み方向に配向されるようにインサートに取り付けられている。すなわち、インサートが第１のコネクタ部分にはめ込まれている状態、場合によっては、係止されている状態において、少なくとも１つの第３の成形部は差込み方向を指している。
【００１７】
特に有利な実施形態では、少なくとも１つの第３の成形部の輪郭は、自身が、第２のコネクタ部分の少なくとも１つの第２のカラー内に収容可能であるように成形されている。少なくとも１つの第２の成形部と少なくとも１つの第３の成形部は、自身の内輪郭又は外輪郭に関して一致しており、少なくとも１つの第３の成形部が形状結合によって、少なくとも１つの第２のカラーを形成する、少なくとも１つの第２の成形部内に差込み可能である。
【００１８】
本発明では、第１のコネクタ部分および第２のコネクタ部分は、第１のコンタクト要素および第２のコンタクト要素を有しており、これらのコンタクト要素は、第１のコネクタ部分および第２のコネクタ部分に収容されている。これらのコンタクト要素は、これらのコネクタ部分内に機械的に保持されている。これらのコンタクト要素の各差込み面は、第１のコネクタ部分の第１の差込み面および第２のコネクタ部分の第２の差込み面内に突出している。
【００１９】
これらのコンタクト要素の差込み面も、対応するように形成されている。従って、これらの差込み面は同時に、コネクタ部分と接触接続可能である。第１のコンタクト要素の差込み面はピンコンタクトとして形成されており、第２のコンタクト要素の差込み面はソケットコンタクトとして形成されている。特に有利な実施形態では、第１のコンタクト要素のコンタクト先端は、絶縁材料から形成されている。この絶縁性のコンタクト先端が、コンタクト要素と物体との望ましくない電気的な接触接続に対する防護措置として用いられる。
【００２０】
有利には、インサートは、第１のコンタクト要素がインサートを貫通することを可能にする貫通孔を有している。インサートは、自身の、少なくとも１つの第３の成形部によって、第１のコネクタ部分の第１の空間を満たし、物体または人体の一部、例えば指による、望ましくない電気的な接触接続を阻止するという目的を果たす。
【００２１】
第１、第２および第３の成形部の本発明の設計によって、異物が第１の空間内に侵入することが阻止されて、誤った電気的な接触接続が回避される。それにもかかわらず、これらの成形部を入れ子式に接続することによって、第１のコネクタ部分と第２のコネクタ部分との接触接続が可能である。
【００２２】
本発明の実施例を図示し、以降で詳細に説明する。
【図面の簡単な説明】
【００２３】
【図１】本発明のコネクタ
【図２】インサートと第１のコンタクト要素とを備えた第１のコネクタ部分
【図３】単独の第１のコネクタ部分
【図４】単独のインサート
【図５】単独の第２のコネクタ部分
【図６】本発明のコネクタの横断面
【図７】
【発明を実施するための形態】
【００２４】
これらの図面は、部分的に簡略化された概略的な表示を含んでいる。部分的に、同様であるが場合によって同一でない要素に対して、同一の参照符号が使用されている。同様の要素の異なる図が、異なって拡大縮小されていることがある。
【００２５】
図１は、コネクタの斜視図を示している。コネクタは、第１のコネクタ部分１０と第２のコネクタ部分２０とから成る。これらのコネクタ部分１０、２０は、この実施例では、モジュール様式のコネクタにおいて使用するために設けられているコネクタモジュールである。
【００２６】
第１のコネクタ部分１０は、差込み方向に向いている自身の端部に、第１の差込み面１０．１を有している。第１の差込み面１０．１は、第２のコネクタ部分２０の第２の差込み面２０．１が、第１の差込み面１０．１内に収容されるように形成されている。
【００２７】
図２には、第１のコネクタ部分１０が示されている。第１のコネクタ部分１０の中心には、第１のコンタクト要素１１が収容されている。第１のコンタクト要素１１の差込み端部は、コネクタ部分１０の第１の差込み面１０．１内に突出している。
【００２８】
コネクタ部分１０の第１の差込み面１０．１は、第１の成形部１０．２から形成される。第１の成形部１０．２は、周囲を取り囲んでいる第１のカラー１０．３を形成する。第１の成形部１０．２は、同時に、コネクタ部分１０のハウジングを形成する。
【００２９】
第１のカラー１０．３の内部に、第１のコンタクト要素１１が見て取れる。第１のカラー１０．３と第１のコンタクト要素１１との間の間隙領域には、インサート３０が設けられている。このインサート３０は、微小物体等の異物または人間の指がこの間隙空間に侵入し、誤った電気的な接続を引き起こす可能性を防止する。
【００３０】
図１および図２に示されている第１のコネクタ部分１０が、図３において再度、単独で示されている。ここでは、第１の成形部１０．２が第１のカラー１０．３を形成していることが見て取れる。第１のカラー１０．３は、コネクタ部分１０の差込み面１０．１内の第１の空間１０．４を包囲している。この第１の空間１０．４は、第１のコンタクト要素１１及びインサート３０を収容するために用いられる。
【００３１】
このようなインサート３０が、図４に単独で示されている。インサート３０は、実質的に、複数の、ここでは７個の第３の成形部３０．２から成る。これらの第３の成形部３０．２は、貫通孔３０．１を中心に配置されている。この貫通孔３０．１は、後に第１のコンタクト要素１１を通すために用いられる。
【００３２】
第３の成形部３０．２は、インサート３０のベース上に一体成形されている。このベースは、同時に、第１のコネクタ部分１０の第１の空間１０．４内にインサート３０を係止するために用いられる。
【００３３】
図５には、コネクタの第２のコネクタ部分２０が示されている。この斜視図によって、コネクタ部分２０の、第２の差込み面２０．１を形成する差込み面を見ることができる。本発明では、第２の差込み面２０．１は、差込み方向に延在している第２の成形部２０．２から形成される。
【００３４】
第２の成形部２０．２は、複数の第２のカラー２０．３を形成するように配置されている。第２のカラー２０．３は、自身が複数の、ここでは５個の第２の空間２０．４を包囲するように、第２の差込み面２０．１内に配置されている。第２の空間２０．４は、第２のコネクタ部分２０と第１のコネクタ部分１０との接触接続時に、インサート３０の第３の成形部３０．２を収容するために用いられる。
【００３５】
中央の第２の空間２０．４が、第２のコネクタ部分２０内に第２のコンタクト要素２１を収容するために設けられている。接触接続した状態において、この第２の空間２０．４内に、第１のコンタクト要素１１のコンタクト領域がさらに収容される。
【００３６】
第１のカラー１０．３と、第２のカラー２０．３と、第３の成形部３０．２との間の本発明の相互作用が、図６に示されている。図示されているのは、接触接続されている２つのコネクタ部分１０、２０の第１の差込み面１０．１と第２の差込み面２０．１の横断面である。
【００３７】
外側の領域において、全ての他の部分を包囲している第１のカラー１０．３の輪郭が見て取れる。形状結合によって、第１のカラー１０．３の内側面に、第２のカラー２０．３の輪郭が接する。第２のカラー２０．３間の空間２０．４も、形状結合によって、第３の成形部３０．２によって満たされている。
【００３８】
第１の成形部１０．２、第２の成形部２０．２および第３の成形部３０．２の輪郭が、再度、単独で、図７、８および９に示されている。
【符号の説明】
【００３９】
１０  第１のコネクタ部分、  １０．１  第１の差込み面、  １０．２  第１の成形部、  １０．３  第１のカラー、  １０．４  第１の空間、  １１  第１のコンタクト要素、  １１．１  コンタクト先端、  ２０  第２のコネクタ部分、  ２０．１  第２の差込み面、  ２０．２  第２の成形部、  ２０．３  第２のカラー、  ２０．４  第２の空間、  ２１  第２のコンタクト要素、  ３０  インサート、  ３０．１  貫通孔、  ３０．２  第３の成形部
【図１】
2017525111.tif 000002
【図２】
2017525111.tif 000003
【図３】
2017525111.tif 000004
【図４】
2017525111.tif 000005
【図５】
2017525111.tif 000006
【図６】
2017525111.tif 000007
【図７】
2017525111.tif 000008
【図８】
2017525111.tif 000009
【図９】
2017525111.tif 000010
【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
第１のコネクタ部分（１０）と、対応している第２のコネクタ部分（２０）と、前記第１および第２のコネクタ部分（１０，２０）内に収容されている、少なくとも２つの、対応しているコンタクト要素（１１，２１）と、から成るコネクタであって、
前記第１のコネクタ部分（１０）は、第１の成形部（１０．２）から形成されている第１の差込み面（１０．１）を有しており、
前記第１の成形部（１０．２）は、周囲を取り囲んでいる、第１のカラー（１０．３）から形成されており、前記第１のカラー（１０．３）は第１の空間（１０．４）を画定し、前記第１のカラー（１０．３）内には、前記第１のコンタクト要素（１１）が配置されており、
前記第２のコネクタ部分（２０）は、少なくとも１つの第２の成形部（２０．２）から形成されている第２の差込み面（２０．１）を有しており、前記少なくとも１つの第２の成形部（２０．２）内には、前記第２のコンタクト要素（２１）が配置されており、
前記少なくとも１つの第２の成形部（２０．２）の輪郭は前記第１のカラー（１０．３）の輪郭と一致しており、前記少なくとも１つの第２の成形部（２０．２）が形状結合によって前記第１のカラー（１０．３）内に収容可能であり、
前記少なくとも１つの第２の成形部（２０．２）は、第２のカラー（２０．３）として形成されており、
前記少なくとも１つの第２の成形部（２０．２）を形成する前記第２のカラー（２０．３）は、第２の空間（２０．４）を画定し、
前記第１のコネクタ部分（１０）の前記第１の差込み面（１０．１）の前記第１の空間（１０．４）内にはめ込み可能であるインサート（３０）が設けられており、
前記インサート（３０）は、前記第１のコネクタ部分（１０）の前記第１の空間（１０．４）内に係止可能であり、
前記インサート（３０）は、差込み方向に配向された、少なくとも１つの第３の成形部（３０．２）を有しており、
前記少なくとも１つの第３の成形部（３０．２）は、前記第２のカラー（２０．３）の輪郭と一致しており、前記少なくとも１つの第３の成形部（３０．２）は形状結合によって、前記第２の空間（２０．４）内に、前記第２のカラー（２０．３）内部に配置可能である、
ことを特徴とするコネクタ。
【請求項２】
前記インサート（３０）は、前記第１のコンタクト要素（１１）を通すために用いられる貫通孔（３０．１）を有している、請求項１記載のコネクタ。
【請求項３】
前記第１のコンタクト要素（１１）の、差込み方向を指しているコンタクト先端は、絶縁材料から成る、請求項１または２記載のコネクタ。
【手続補正書】
【提出日】平成29年3月22日(2017.3.22)
【手続補正１】
【補正対象書類名】明細書
【補正対象項目名】００２３
【補正方法】変更
【補正の内容】
【００２３】
【図１】本発明のコネクタ
【図２】インサートと第１のコンタクト要素とを備えた第１のコネクタ部分
【図３】単独の第１のコネクタ部分
【図４】単独のインサート
【図５】単独の第２のコネクタ部分
【図６】本発明のコネクタの横断面
【図７】第１の成形部の輪郭
【図８】第３の成形部の輪郭
【図９】第２の成形部の輪郭
【国際調査報告】
2017525111.tif 000011
2017525111.tif 000012
2017525111.tif 000013
2017525111.tif 000014
2017525111.tif 000015
2017525111.tif 000016